【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
少なくとも１つの入力導波路セクションと、少なくとも２つの出力導波路セクションと、前記少なくとも１つの入力導波路セクションと前記少なくとも２つの出力導波路セクションとを光学的に接続する遷移導波路セクションとを備える平面導波路接合部であって、前記遷移領域が、光路に沿ってギャップありセグメントとギャップなしセグメントとを交互に含み、前記ギャップありセグメントが、光学コアでのギャップによって分離された前記少なくとも２つの出力導波路セクションに対応する前記光路の導波路コア・セグメントに対して横方向であり、前記ギャップなしセクションが、前記ギャップありセグメントでの前記コアの横幅の総計の±２５％以内の全幅を有する横方向の連続コアを有し、前記遷移セクションが、少なくとも３つのギャップありセグメント、及び少なくとも３つのギャップなしセグメントを有する、平面導波路接合部。
【請求項２】
前記少なくとも１つの入力導波路セクションが、１つの入力導波路セクションであり、前記少なくとも２つの出力導波路セクションが、２つの出力導波路セクションであり、前記平面導波路接合部が１×２スプリッタである、請求項１に記載の平面導波路接合部。
【請求項３】
遷移セクションが、６〜２５個のギャップありセグメント、及び６〜２５個のギャップなしセグメントを有する、請求項１又は請求項２に記載の平面導波路接合部。
【請求項４】
接続セグメントが、ギャップありセグメントを、隣接するギャップなしセグメントに接続する、請求項１〜３のいずれか一項に記載の平面導波路接合部。
【請求項５】
ギャップありセグメント全体にわたって延在する前記ギャップと、隣接する２つの接続セグメントとが六角形を形成する、請求項４に記載の平面導波路接合部。
【請求項６】
前記入力セクションは、前記コアが広くなり、さらに光路に沿って前記遷移セクションに接続されるテーパ・セグメントの前にあり、これに光学的に接続された光路に沿って一定の幅のセグメントを有し、前記ギャップが、０．２５ｗ〜０．９ｗであり、ここでｗが、前記遷移セクションに接続された前記テーパ・セグメントの前の、前記一定幅のセグメントに沿った前記入力導波路コアの前記光路に垂直な横方向の広がりである、請求項１〜５のいずれか一項に記載の平面導波路接合部。
【請求項７】
前記出力導波路セクションが非対称である、請求項１〜６のいずれか一項に記載の平面導波路接合部。
【請求項８】
１つの出力導波路セクションが、第２の出力導波路セクションの幅の１．１倍〜４倍の幅を有する、請求項７に記載の平面導波路接合部。
【請求項９】
前記少なくとも１つの入力導波路セクションが、１つの入力導波路セクションであり、前記少なくとも２つの出力導波路セクションが、３つの出力導波路セクションであり、前記平面導波路接合部が１×３スプリッタである、請求項１又は請求項３〜８のいずれか一項に記載の平面導波路接合部。
【請求項１０】
前記少なくとも１つの入力導波路セクションが、２つの入力導波路セクションであり、前記少なくとも２つの出力導波路セクションが、３つの出力導波路セクションであり、平面導波路接合部が２×３結合器である、請求項１又は請求項３〜８のいずれか一項に記載の平面導波路接合部。
【請求項１１】
ａ）入力導波路セクション、結合セクション、及び終端セクションを含む湾曲導波路と、
ｂ）前記結合セクションにおいて前記湾曲導波路に光結合するように配置されたＹスプリッタであって、入力導波路セクション、遷移セクション、第１の出力セクション、及び第２の出力セクションを含むＹスプリッタと、を備え、
前記遷移セクションが、前記入力導波路セクションと、前記第１の出力導波路セクション及び前記第２の出力導波路セクションとを光学的に接続し、前記入力セクションが、ｗの初期幅から２ｗ＋ｇのテーパ幅までのテーパを有し、前記テーパが、前記湾曲導波路でのゼロ次モードが前記入力導波路セクションでの１次モードに結合するように、前記湾曲導波路と光学的に結合するように構成され、前記遷移セクションが、光路に沿ってギャップありセグメントとギャップなしセグメントとを交互に含み、前記ギャップありセグメントが、光学コアでのギャップによって分離された前記２つの出力導波路セクションに対応する前記光路の導波路コアに対して横方向であり、前記ギャップなしセグメントが、横方向の連続コアを有する、光ミキサ。
【請求項１２】
前記Ｙスプリッタが、ゼロ次光学モードでの光効率、及び最大１パーセント異なる１次モードでの光効率を有する、請求項１１に記載の光ミキサ。
【請求項１３】
前記遷移セクションが、６〜２５個のギャップありセグメント、及び６〜２５個のギャップなしセグメントを備える、請求項１１又は請求項１２に記載の光ミキサ。
【請求項１４】
接続セグメントが、ギャップありセグメントと隣接するギャップなしセグメントとを接続し、ギャップありセグメント全体にわたって延在する前記ギャップと、隣接する２つの接続セグメントとが六角形を形成する、請求項１１〜１３のいずれか一項に記載の光ミキサ。
【請求項１５】
請求項１１に記載の光ミキサを用いて光信号出力を制御する方法であって、
２つの光信号を結合することであって、第１の光信号がゼロ次モードにあり、第２の光信号が１次モードにあって、前記Ｙスプリッタの入力セクション内でこの２つの光信号の干渉をもたらして、結合光信号を形成することと、前記結合光信号を遷移領域に送って、選択された光信号を前記２つの光信号の位相関係に基づいて前記第１の出力セクションと前記第２の出力セクションに送ることとを含む、方法。
【請求項１６】
前記２つの光信号の前記位相関係は、前記光ミキサが可変光減衰器の役割を果たすように、前記光信号の選択された部分をもたらして、前記第１の出力セクション及び前記第２の出力セクションを通って伝送する、請求項１５に記載の方法。
【請求項１７】
前記第１の光信号と前記第２の光信号が、同相又は１８０度の位相ずれになり、したがって前記出力光信号が、前記第１の出力導波路セクション又は前記第２の出力導波路セクションのうちの一方へ効果的に送られ、その結果、前記光ミキサが選択可能なスイッチの役割を果たす、請求項１５に記載の方法。
【請求項１８】
前記第１の光信号の第１の偏光が、前記第２の光信号の対応する偏光に対して位相が１８０度ずれて前記ミキサに到達し、かつ／又は前記第１の光信号の第２の偏光が、前記第２の光信号の前記対応する偏光に対して同相で前記ミキサに到達して、前記第１の偏光を１つの出力導波路セクションに送り、前記第２の偏光を第２の出力導波路セクションに送って、代替の導波路間で互いに異なる偏光の光を分割する、請求項１５に記載の方法。
【請求項１９】
入力導波路セクション、第１の出力導波路セクション、第２の出力導波路セクション、及び前記入力導波路セクションと前記出力導波路セクションとを接続する遷移導波路セクションを含む非対称光接合部であって、前記第１の出力導波路セクションが、前記第２の出力セクションの対応する幅よりも少なくとも１０％広い前記遷移セクションにおいて光路に垂直な幅を有し、前記遷移セクションが、前記光路に沿ってギャップありセグメントとギャップなしセグメントとを交互に含み、前記ギャップありセグメントが、光学コアでのギャップによって分離された前記２つの出力導波路セクションに対応する前記光路の導波路コアに対して横方向であり、前記ギャップなしセグメントが、横方向の連続コアを有する、非対称光接合部。
【請求項２０】
前記導波路が石英ガラスを含む、請求項１９に記載の非対称光接合部。
【請求項２１】
前記入力導波路セクションから前記遷移導波路セクションに伝送される光強度の１０％未満が、前記第２の出力導波路セクションを通って伝搬する、請求項１９又は請求項２０に記載の非対称光接合部。
【請求項２２】
前記遷移セクションが、６〜２５個のギャップありセグメント、及び６〜２５個のギャップなしセグメントを備える、請求項１９〜２１のいずれか一項に記載の非対称光接合部。
【請求項２３】
接続セグメントが、ギャップありセグメントと隣接するギャップなしセグメントとを接続し、ギャップありセグメント全体にわたって延在する前記ギャップと、隣接する２つの接続セグメントとが六角形を形成する、請求項１９〜２２のいずれか一項に記載の非対称光接合部。
【請求項２４】
前記ギャップありセグメントの側縁部が、前記光路に垂直な前記ギャップなしセグメントの中央に対して対称に配置されている、請求項１９〜２３のいずれか一項に記載の非対称光接合部。
【請求項２５】
前記ギャップありセグメントの前記側縁部が、前記光路に垂直な前記ギャップなしセグメントの中央に対して非対称に配置されている、請求項１９〜２４のいずれか一項に記載の非対称光接合部。
【請求項２６】
前記遷移セクションが、１つの側縁部全体にわたってほぼ直線状である、請求項２５に記載の非対称光接合部。
【請求項２７】
前記ギャップあり領域の前記側縁部が、前記ギャップなしセグメントの前記側縁部に対して凹部を形成する１つの縁部、及び前記ギャップなしセグメントのもう一方の側縁部に対して突起部を形成する１つの縁部を有する、請求項２５に記載の非対称光接合部。